【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
ドラフト電子通信メッセージの管理を提供する方法であって、
電子メール・メッセージを生成するために、選択の指標を受け取るステップと、
前記電子メール・メッセージのドラフトを保存するステップと、
前記ドラフト電子メール・メッセージのドラフト・アイテムを含む電子メール・メッセージ・アイテムと別のメールボックス・フォルダーからの複数の電子メール・メッセージ・アイテムとについての凝集されたリストを表示するステップと、
前記ドラフト・アイテムの選択の指標を受け取るステップと、
前記ドラフト電子メール・メッセージのインラインを前記電子メール・メッセージ・アイテムの凝集されたリストと共に表示するステップと
を含む、方法。
【請求項２】
請求項１記載の方法であって、更に、
別のタスクを実行するために、選択の指標を受け取るステップと、
前記ドラフト電子メール・メッセージのドラフト・アイテムを、１つ以上のメールボックス・フォルダーにおける前記電子メール・メッセージ・アイテムの凝集されたリストに含めるのを続けるステップと
を含む、方法。
【請求項３】
請求項２記載の方法であって、前記ドラフト電子メール・メッセージの選択の指標を受け取るステップが更に、
前記ドラフト電子メール・メッセージを保存し、
前記ドラフト電子メール・メッセージを送信し、または、
前記ドラフト電子メール・メッセージを削除する
ための指標を受け取るステップと、
前記ドラフト電子メール・メッセージを保存するための指標を受け取る場合に、前記ドラフト電子メール・メッセージを保存すると共に、前記１つ以上のメールボックス・フォルダーにおける前記電子メール・メッセージ・アイテムの凝集されたリストにおいて、前記ドラフト電子メール・メッセージのドラフト・アイテムを更新するステップと、
前記ドラフト電子メール・メッセージを送信するための指標を受け取る場合に、前記ドラフト電子メール・メッセージを送信すると共に、前記１つ以上のメールボックス・フォルダーにおける前記電子メール・メッセージ・アイテムの凝集されたリストから、前記ドラフト電子メール・メッセージのドラフト・アイテムを除去するステップと、
前記ドラフト電子メール・メッセージを削除するための指標を受け取る場合に、前記ドラフト電子メール・メッセージを削除すると共に、前記１つ以上のメールボックス・フォルダーにおける前記電子メール・メッセージ・アイテムの凝集されたリストから、前記ドラフト電子メール・メッセージのドラフト・アイテムを除去するステップと
を含む、方法。
【請求項４】
請求項１記載の方法であって、前記電子メール・メッセージのドラフトを保存するステップが、
電子メール・メッセージを生成するための選択の指標の受け取り、
前記電子メール・メッセージを保存するための選択の指標の受け取り、
前記電子メール・メッセージをクローズするための選択の指標の受け取り、
別のタスクを実行するための選択の指標の受け取り、または、
電子メール・メッセージを生成するための選択の指標の受け取りの後に、所定の時間量の経過の指標の受け取り
の内の１つの後に、前記電子メール・メッセージのドラフトを保存するステップを含む、方法。
【請求項５】
請求項４記載の方法において、前記電子メール・メッセージのドラフトを保存するステップが、
ドラフト・フォルダー、
インボックス・フォルダー、
メールボックス・フォルダー、
ドラフト・フォルダーおよびインボックス・フォルダーのコンテンツを含む凝集されたフォルダー、または
ドラフト・フォルダーおよびメールボックス・フォルダーのコンテンツを含む凝集されたフォルダー
の内１つ以上に前記ドラフト電子メール・メッセージを保存するステップを含む、方法。
【請求項６】
請求項１記載の方法であって、前記ドラフト電子メール・メッセージのドラフト・アイテムを、１つ以上のメールボックス・フォルダーにおける前記電子メール・メッセージ・アイテムの凝集されたリストに含める前記ステップが、前記ドラフト電子メール・メッセージを、ドラフトとして区別する識別子を含めるステップを含む、方法。
【請求項７】
請求項６記載の方法において、前記ドラフト電子メール・メッセージをドラフトとして区別する識別子を含める前記ステップが、前記ドラフト・アイテムで「ドラフト」というワードを含めるステップを含む、方法。
【請求項８】
請求項１記載の方法であって、前記ドラフト電子メール・メッセージのドラフト・アイテムを、１つ以上のメールボックス・フォルダーにおける前記電子メール・メッセージ・アイテムの凝集されたリストに含める前記ステップが、生成された順に、また、新規のメッセージが受信されまたは前記１つ以上のメール・フォルダーに移動されたときに、前記ドラフト・アイテムをリスト化するステップを含む、方法。
【請求項９】
請求項１記載の方法であって、前記ドラフト電子メール・メッセージのドラフト・アイテムを、１つ以上のメールボックス・フォルダーにおける前記電子メール・メッセージ・アイテムの凝集されたリストに含める前記ステップが、前記１つ以上のメールボックス・フォルダーにおける前記電子メール・メッセージ・アイテムの凝集されたリストの開始において前記ドラフト・アイテムをリスト化するステップを含む、方法。
【請求項１０】
請求項１記載の方法であって、前記ドラフト電子メール・メッセージのドラフト・アイテムを、１つ以上のメールボックス・フォルダーにおける前記電子メール・メッセージ・アイテムの凝集されたリストに含める前記ステップが、１つ以上の選択制御を設けて、ドラフト・アイテム・グルーピングを含む１つ以上のグルーピングによって電子メール・アイテムをソートするステップを含む、方法。
【請求項１１】
請求項１０記載の方法であって、更に、前記ドラフト・アイテム・グルーピングの選択の指標を受け取り、ドラフト電子メール・アイテムの表示を設けるステップを含む、方法。
【請求項１２】
ドラフト電子通信メッセージの管理を提供するシステムであって、
メモリ・ストレージと、
該メモリ・ストレージに結合される処理ユニットと
を備え、前記処理ユニットが、
電子メール・メッセージを生成するために選択の指標を受け取り、
前記電子メール・メッセージのドラフトを保存し、
前記ドラフト電子メール・メッセージおよび複数の非ドラフト電子メール・メッセージのドラフト・アイテムを含む電子メール・メッセージ・アイテムの凝集されたリストを表示し、
前記ドラフト・アイテムの選択の指標を受け取り、
前記ドラフト電子メール・メッセージのインラインを前記電子メール・メッセージ・アイテムの凝集されたリストと共に表示する
ように動作可能である、システム。
【請求項１３】
請求項１２記載のシステムにおいて、前記処理ユニットが、更に、
別のタスクを実行するために、選択の指標を受け取り、
前記ドラフト電子メール・メッセージのドラフト・アイテムを、前記１つ以上のメールボックス・フォルダーにおける前記電子メール・メッセージ・アイテムの凝集されたリストに含めることを続ける
ように動作可能である、システム。
【請求項１４】
請求項１２記載のシステムにおいて、前記処理ユニットが、更に、
前記ドラフト電子メール・メッセージの選択の指標を受け取り、
前記ドラフト電子メール・メッセージを保存し、
前記ドラフト電子メール・メッセージを送信し、または、
前記ドラフト電子メール・メッセージを削除する
ための指標を受け取り、
前記ドラフト電子メール・メッセージを保存するための指標を受け取る場合に、前記ドラフト電子メール・メッセージを保存すると共に、前記１つ以上のメールボックス・フォルダーにおける前記電子メール・メッセージ・アイテムの凝集されたリストにおいて前記ドラフト電子メール・メッセージのドラフト・アイテムを更新し、
前記ドラフト電子メール・メッセージを送信するための指標を受け取る場合に、前記ドラフト電子メール・メッセージを送信すると共に、前記１つ以上のメールボックス・フォルダーにおける前記電子メール・メッセージ・アイテムの凝集されたリストから、前記ドラフト電子メール・メッセージのドラフト・アイテムを除去し、
前記ドラフト電子メール・メッセージを削除するための指標を受け取る場合に、前記ドラフト電子メール・メッセージを削除すると共に、前記１つ以上のメールボックス・フォルダーにおける前記電子メール・メッセージ・アイテムの凝集されたリストから、前記ドラフト電子メール・メッセージのドラフト・アイテムを除去する
ように動作可能である、システム。
【請求項１５】
請求項１４記載のシステムにおいて、前記処理ユニットが、更に、
前記電子メール・メッセージのドラフトを、
ドラフト・フォルダー、
インボックス・フォルダー、
メールボックス・フォルダー、
ドラフト・フォルダーおよびインボックス・フォルダーのコンテンツを含む凝集したフォルダー、または
ドラフト・フォルダーおよびメールボックス・フォルダーのコンテンツを含む凝集したフォルダー
の内１つ以上に保存し、
前記電子メール・メッセージのドラフトを、
電子メール・メッセージを生成する選択、
前記電子メール・メッセージを保存する選択、
前記電子メール・メッセージをクローズする選択、
別のタスクを実行する選択、
電子メール・メッセージを生成する選択の指標を受け取った後、所定の時間量の経過
の内の１つの指標を受け取ったときに保存する
ように動作可能である、システム。
【請求項１６】
請求項１２記載のシステムにおいて、１つ以上のメールボックス・フォルダーにおける前記電子メール・メッセージ・アイテムの凝集されたリストにおける前記ドラフト電子メール・メッセージのドラフト・アイテムが、前記ドラフト電子メール・メッセージをドラフトとして区別する識別子を含む、システム。
【請求項１７】
請求項１２記載のシステムにおいて、前記電子メール・メッセージ・アイテムの凝集されたリストが、１つ以上のドラフト・アイテムおよび１つ以上の電子メール・メッセージを含み、前記ドラフト・アイテムおよび電子メール・メッセージが最も新しいものから最も古いものへとソートされる、システム。
【請求項１８】
ドラフト電子通信メッセージの管理を提供するためのコンピューター実行可能命令を有するコンピューター可読媒体であって、
電子メール・メッセージを生成するために、選択の指標を受け取り、
前記電子メール・メッセージのドラフト・アイテムをドラフト・メールボックス・フォルダーに保存し、
前記電子メール・メッセージのドラフト・アイテムを含む電子メール・メッセージ・アイテムと別の１つ以上のメールボックス・フォルダーからの複数の電子メール・メッセージ・アイテムとについての凝集されたリストを表示し、
別のタスクを実行するために、選択の指標を受け取り、
前記ドラフト電子メール・メッセージのドラフト・アイテムを、前記電子メール・メッセージ・アイテムの凝集されたリストに含めることを続け、
前記ドラフト電子メール・メッセージの選択の指標を受け取り、
前記ドラフト電子メール・メッセージのインラインを前記電子メール・メッセージ・アイテムの凝集されたリストと共に表示し、
前記ドラフト電子メール・メッセージを保存し、
前記ドラフト電子メール・メッセージを送信し、または、
前記ドラフト電子メール・メッセージを削除する
ための指標を受け取り、
前記ドラフト電子メール・メッセージを保存するための指標を受け取る場合に、前記ドラフト電子メール・メッセージを保存すると共に、前記電子メール・メッセージ・アイテムの凝集されたリストにおいて前記ドラフト電子メール・メッセージのドラフト・アイテムを更新し、
前記ドラフト電子メール・メッセージを送信するための指標を受け取る場合に、前記ドラフト電子メール・メッセージを送信すると共に、前記電子メール・メッセージ・アイテムの凝集されたリストから、前記ドラフト電子メール・メッセージのドラフト・アイテムを除去し、
前記ドラフト電子メール・メッセージを削除するための指標を受け取る場合に、前記ドラフト電子メール・メッセージを削除すると共に、前記電子メール・メッセージ・アイテムの凝集されたリストから、前記ドラフト電子メール・メッセージのドラフト・アイテムを除去する
ことを含む、コンピューター可読媒体。
【請求項１９】
請求項１８記載のコンピューター可読媒体であって、前記ドラフト電子メール・メッセージのドラフト・アイテムを、前記電子メール・メッセージ・アイテムの凝集されたリストに含めることが、
１つ以上の選択制御を設けて、ドラフト・アイテム・グルーピングを含む１つ以上のグルーピングによって電子メール・アイテムをソートし、
前記ドラフト・アイテム・グルーピングの選択の指標を受け取り、
ドラフト電子メール・メッセージ・アイテムの表示を設ける
ことを含む、コンピューター可読媒体。
【請求項２０】
請求項１８記載のコンピューター可読媒体であって、１つ以上の別のメールボックス・フォルダーからの前記複数の電子メール・メッセージ・アイテムが、インボックス・フォルダーからの複数の電子メール・メッセージ・アイテムを含む、コンピューター可読媒体。